(57)【特許請求の範囲】
【請求項１】
蓋を取り付けた乾燥式生ゴミ処理機において、流し台のシンク底面に排水孔付き脱着内容器を内蔵した固定外容器を垂下させて取り付け、前記脱着内容器の内部に向けて温風管と連なる吹き出し口と、排気管と連なる臭気排出孔を配設し、前記脱着内容器に攪拌羽根を装着して、前記各容器の上面に蓋をかぶせ、温風乾燥と臭気排出処理手段をすると共に、前記蓋の一方に補助用排水口を設けて蓋の上面から補助用排水口を経由し洗浄排水を流す構造手段として設置することを特徴とする排水兼、乾燥式生ゴミ処理機付き流し台シンク。
【請求項２】
蓋の面に皿状を形成し、中央部分に開閉自在なる止水弁取っ手を取り付け、前記止水弁取っ手には容器流出用排水口を設けて更に皿状の一方に補助用排水口を設け排水構造手段とし、前記止水弁取っ手にワイヤ−支持板を取り付けてワイヤ−ケ−ブル線を配設し、その一端に可動マグネットを接続して前記止水弁取っ手を回動させることによって可動マグネットを位置移動させ、吸着通電させることを特徴とした請求項１記載の排水兼、乾燥式生ゴミ処理付き流し台シンク。
【発明の詳細な説明】
【技術分野】
【０００１】  本発明は、流し台のシンクに設置する洗浄排水を兼ねる乾燥式生ゴミ処理機に関する。
【背景技術】
【０００２】  従来の流し台シンクに設置する乾燥式生ゴミ処理機においては、シンクに接近する天板面に二重の内外容器を装着して蓋を被せて乾燥処理するものが知られ、そして臭気排出装置を接続されているものがあった。
（例えば特許文献１参照）【０００３】  また、シンクのコーナー部分に二重の内外容器を装着するものもあった。
（例えば特許文献２参照）【０００４】
【特許文献１】  特開２００４−１４３９００号公報
【特許文献２】  特開２００４−２５５１９９号公報
【発明の開示】
【発明が解決しようとする課題】
【０００５】  この従来の乾燥式生ゴミ処理機にあっては、天板面にそってゴミ投入容器が設置されているため、天板面の面積が狭くなるという問題点があった。
また設置時、天板及びシンクの下部方向に各容器を垂下露出させるため、既存の排水トラップ以外に収納部分が更に狭くなり、そして、シンクコーナー部設置時の形状が複雑で膨大な金型が必要となるためコスト高となっていた。【０００６】  外容器に誤って水が入った場合排水口が無いため、不便であった。
そして高温乾燥中に誤って蓋を開放すると、溜まっていた高熱風で火傷する危険があった。【０００７】  本発明は、このような問題点に鑑みてなされたもので、処理機の各容器を天板面に設置しないで設置場所を変えることにより支障をなくし、そして処理容器に洗浄排水も同時に流せるように提供することを目的としている。
【課題を解決するための手段】
【０００８】  このような課題を解決するための本発明は、温風を発する蓋を取付けた生ゴミ処理機において、従来設置されていた排水トラップ位置とする流し台シンク底面に排水孔付き脱着容器を内蔵した外容器を垂下させて取付け、その排水孔付き脱着内容器に生ゴミをためると共に、同時に洗浄水の排水を流す構造手段とする。
脱着内容器には、生ゴミをためて保管すると同時に排水も可能とする。【０００９】  そして、生ゴミ処理機の蓋の面に排水の流れを良くするための皿状を形成し、中央部分に排水の流れを止められるように回転自在の止水弁取っ手を取付け、その止水弁取っ手には内容器に流れるように容器流出用排水口を設けて、更に皿状の一方に予備補助排水口を設けて排水構造手段としている。
また、外容器の下方向底部分に従来のような構造の排水トラップを設けて排水可能にする。【００１０】  スイッチの作用構造として、蓋の皿状の内部にワイヤーケーブル線を通して可動操作可能にし、ワイヤーケーブル線の一方先端部分に可動マグネットを取付け、他の一方を止水弁取っ手の下部に設けたワイヤー支持板に接続して止水弁取っ手を回動することによってワイヤー支持板が上下動すると同時にワイヤーケーブル線を作動させ、先端に取付けた可動マグネットを位置移動させて補助用マグネットスイッチに吸着入力通電可能手段とする。【００１１】  それに、処理機の蓋と止水弁取っ手の部分にスプリング付き形状記憶合金軸棒材を取付けて温風を吹き出し熱することにより突出膨張するロック装置を取付ける。【００１２】  臭気排出するために、ファンを中間にして一方の排気管を容器へ、一方の排気管を排出トラップの下方排出管に連結して臭気を排出する。
ファンを両排気管の中間に設けることにより、ジャバラ式両排気管のためファンの回転振動がシンクに共振することがなくなるため便利である。
【発明の効果】
【００１３】  本発明の乾燥式生ゴミ処理機によれば、流し台のシンク底面に設置されているため、従来のように天板面の面積を狭くすることがなく、シンクコーナー設置時においても複雑な形成加工が不必要となるため容易に設置することができる。【００１４】  外容器に装着内蔵された生ゴミ投入用の脱着内容器の外周囲に洗浄排水を流せるよう無数の排水孔を設けているため、生ゴミをためると共に同時に排水可能となり煩わしさがなく容易にゴミ投入ができる。【００１５】  処理機の開閉蓋の上面を皿状形成し、中央部には、排水機能を持つ止水弁取っ手を取付け更に一方に予備補助排水口を設けているため、
（イ）皿状形成により排水の流れがスムーズである。
（ロ）止水弁取っ手は、容器流出用排水口を設けているため、洗浄中、小物の残滓はそ        れらから内容器に流出されるため、いちいち処理機のメイン蓋を開けなくとも良        く非常に便利となる。
（ハ）乾燥時には、止水弁取っ手を閉めることにより、皿状から流れる排水は予備補助        排水口に流れ排出されるため、乾燥中でも排水可能となる。【００１６】  内外容器の下部には、既存同様の排水トラップが設置されているため、排水をスムーズに流すことができ悪臭や虫等が出ないようになり、一体化で便利である。
そして、止水弁取っ手を回動操作することによって、ワイヤーケーブル線が作動し、先端に取付けた可動マグネットと補助用マグネットスイッチが吸着されて入力通電が可能となり、蓋及び止水弁取っ手を完全に閉めないとスイッチが入らない構造のため安全で、同時に内容器の排水浸入防止として皿状のみの排水を容易にすることができる。【００１７】  乾燥中、メイン蓋や閉めた時の止水弁取っ手の部分にスプリング等を利用して熱による膨張で突出する形状記憶合金軸棒材のロック装置を取付けることにより、開放不可能となるため安全である。
【発明を実施するための最良の形態】
【００１８】  以下の添付図面基づいて本発明を説明する。
図１は本発明の側面断面図で、流し台シンク１４のシンク底面２に円筒状の固定外容器４をシンク底面裏側に垂下させ取付ける。
外容器４の底部に排水トラップ９を設け、外容器４の内部に排水孔付き脱着内容器３を内蔵し、脱着内容器３の外周面にそって排水可能にするための無数の排水孔１５を設けている。【００１９】    脱着内容器３の内部には、かく拌羽根１６を取付け、かく拌されて粉砕された乾燥生ゴミ粉の流出防止のためのろ過材１７を内周囲に取付け円筒状の孔付き保護ネット材１８で覆った。尚、ろ過材１７は洗浄排水時の残滓流出防止ろ過として利用することはいうまでもない。【００２０】  各容器３、４の上面にはメイン蓋１を装着して、その蓋１の面に排水の受け皿とした皿状５に形成し、中央部分に開閉自在とする止水弁取っ手６を取付け、その部分には内容器３に流出させるための容器流出用排水口７を設けている。
止水弁取っ手６の開閉、流出方法は、魔法瓶の給湯栓を応用し、そして皿状５の一方にはネット１９を取付けて、筒状の補助用排水口８を設けている。補助用排水口８には、補助排水管２０を接続して排水トラップ９まで連結されている。
また、乾燥させるための温風入力用スイッチ作用構造として、蓋１の皿状５の内部にワイヤーケーブル線２９を埋設し貫通させて作動可能に配設し、ワイヤーケーブル線２９の一方先端部分に可動マグネット３０を取付け、更に他一方を止水弁取っ手６の下部に設けたストッパーの役目もあり回転しないように遊貫状態としたワイヤー支持板３２に接続し、止水弁取っ手６を回動操作して先端に取付けた可動マグネット３０を位置移動させ、補助用マグネットスイッチ３１に吸着してメインスイッチで通電させる。
皿状５の面に、蓋１を閉めると自動的にロック可能となる自動ロックつまみ３３を設けて安全策に講じる。【００２１】  メイン蓋１の裏側は温風吹き出し口２１を形成し、それと導かれている温風管２２は、内外容器３、４を通して配管されている。
吹き出された温風は、臭気排出と同時に排気ファン２３を介して接続されている内外容器３、４の接続用排気管２４と排出管接続用排気管２５とで排出管１３に連結され、これらを臭気排出装置１１としている。
生ゴミ投入時でも、常にファン２３を回していることにより、臭気の排出効果がある。臭気の吸引は、内容器３の上方に臭気排出孔２６を設けている部分から外容器４の内部も含めてファン２３によって各排気管２４、２５に導く手段とする。【００２２】  高熱温風で乾燥中、メイン蓋１と密閉された止水弁取っ手６には、スプリングと軸棒を利用した熱による形状記憶合金材のロック装置１０を数ヶ所取付けて乾燥中は安全のため開放不可能としている。形状記憶型素材としてはポリエステル樹脂等でも良い。【００２３】  尚、内容器３とメイン蓋１を外容器４に装着する方法は、内容器３を外容器に挿入時、排水出口２７に向けて内容器３に補助用排水口８同形状の切欠けが形成された方向を向けて装着し、その内容器の切欠け部分に蓋１に設けた上記の補助用排水口８を嵌め込み、排水出口２７方向に向けて装着する。
シンク底面２のプレス垂下方向や補助排水管２０の接続上面には、それぞれ筒状の補助排水口８が嵌め込まれるように切欠けが形成され、蓋１が上から装着可能とされている。【００２４】  図２は、本発明の装着状態を示す斜視破断面図である。
メイン蓋１を取り外し生ゴミ投入可能状態として、シンク底面２に垂下された脱着内容器３に生ゴミを投入し蓋１をして、高温乾燥によってかく拌羽根１６でかく拌しながら乾燥させるものである。
また、必要によっては、シンク底面２に別個に小さな予備的補助排水口２８を設けても良く、蓋１に設けた補助用排水口８は不必要となるものであるが、用途に合わせて何れかを選択すれば用を成すものである。
従来設置されていたカゴ付き排水口位置と同位置に本発明品が設置されるため、従来のようにカゴにたまった生ゴミをいちいち取り出し移す必要がなくなり、直接脱着内容器に投入保管可能となる。未乾燥の生ゴミ臭気は、止水弁取っ手６を閉めるが、臭気排出装置１１で排出を行う。
【図面の簡単な説明】
【００２５】
【図１】は本発明の装着状態を示す側面断面図である。
【図２】は本発明のメイン蓋を外した斜視破断面図である。
【符号の説明】
【００２６】１．  蓋
２．  シンク底面
３．  脱着内容器
４．  外容器
５．  皿状
６．  止水弁取っ手
７．  容器流出用排水口
８．  補助用排水口
９．  排水トラップ
１０．形状記憶合金材ロック装置
１１．臭気排出装置
１３．排出管
１４．シンク
１５．排水孔
１６．かく拌羽根
１７．ろ過材
１８．保護ネット材
１９．ネット
２０．補助排水管
２１．吹き出し口
２２．温風管
２３．ファン
２４．排気管（内外容器接続用）
２５．排気管（排出管接続用）
２６．臭気排出孔
２７．排水出口
２８．補助排水口
２９．ワイヤーケーブル線
３０．可動マグネット
３１．補助用マグネットスイッチ
３２．ワイヤー支持板
３３．自動ロックつまみ
【図１】
0003713042.tif 000002
【図２】
0003713042.tif 000003